(57)【要約】      （修正有）【課題】携帯用のマウスと他の物品を連結部を介してハンドルとすることができることにより、把持性と操作性を損なわないマウスを提供する。【解決手段】小型マウス１の後端にヒンジ３により上下に開閉するトレー２を設け、前記トレー２の内側に粘着部４を設ける。【選択図】図１
2010257133.tif 000002
【特許請求の範囲】
【請求項１】
マウスにハンドルとなる物品を付着させる連結部を設けたことを特徴とする小型マウス。
【請求項２】
センサー部を回動可能にしたことを特徴とする請求項１記載の小型マウス。
【発明の詳細な説明】
【技術分野】
【０００１】
本発明は表示画面に表示されるポインタを移動させるマウスに関し、さらに詳しくは、小型で持ち歩きに便利であるにもかかわらず、他の物品をハンドルとして連結させることができるため、把持性と操作性を損なわない小型マウスに関する。
【背景技術】
【０００２】
一般的に、ノートパソコンにはポインティングデバイスとしてトラックパッドが設けられている。
また、蓄電池の性能が向上するにつれ、以前は補助として使われていたノートパソコンが仕事の中心を占めるようになってきている。
【０００３】
こういう状況の中、前記トラックパッドでは表示画面のポインタをただ選択するための移動程度には有効でも、長時間の使用や画像の編集など、込み入った作業に必要な確実で効果的な操作が難しい。そのため、マウスを持ち歩く者も多くなり、カードスロットに挿入できるものなど、近年は携帯用の小型マウスも数多く開発、販売されている。
【先行技術文献】
【特許文献】
【０００４】
【特許文献１】特開２０００−２９６２５  マウス
【特許文献２】特願平８−３０７２７２  マウス装置
【特許文献３】実用新案登録第３１２３５８２号  コンピュータのマウス
【発明の概要】
【発明が解決しようとする課題】
【０００５】
しかし、マウスを構成する電子部品が年々小さく本体も小型化が進むほどには、これを掴んで操作する人間の手のほうは小さくならないので、ハンドルとしての機能が希薄になり、移動やスイッチ操作が難しくなってきている。
【０００６】
そこで（特許文献１）や（特許文献２）、（特許文献３）のような折りたたみ式のものがある。
しかしこれらは、機構が複雑なので故障やコストの点で問題がある。
また、図８に示す市販の中折れ式マウスには、十分な小型化が実現できないことや、平面に段差がある場合、端部が引っかかりやすいという難点がある。
【０００７】
本発明の課題はマウスを小型化しても、把持性と操作性を損なうことのないマウスを提供することである。
【課題を解決するための手段】
【０００８】
小型マウス（１）の後端にヒンジ（３）を介すことにより上下に開閉するトレー（２）を設け、前記トレー（２）の内側に粘着部（３）を設ける。
【発明の効果】
【０００９】
以上の構成によって、使用者は前記トレー（２）に把持に適当な物品を連結させることができ、また連結させた物品をハンドルとして掴むことが可能にる。
これまでの小型マウスを扱うときのように、それが小さすぎることで不確実な把持や操作をすることがなくなる。
また、前記物品を取り外し、トレーを閉じれば非常に小さくなり、携帯に便利である。
【００１０】
喫茶店や列車内などでノートパソコンを開くとき、多くの場合テーブルの上には、携帯電話やたばこ、デジカメや、各種ケースなどがある。本発明はこのような一般的に人々の身の回りでは掴んで引き摺り動かすのに適当な物品を探すことが容易であるという状況を活用するものである。
【００１１】
小型マウスにこれら身の回りの物品をハンドルとして連結させられる機構を設けることで、どんなに本体が小さくなろうとも、掴むことの困難を解消することができる。
また自分の手や好みにあった材質や大きさの物品をハンドルとして用いることもできるようになるので、本マウスに適合した専用の各種物品の自作や生産が可能になる。
【図面の簡単な説明】
【００１２】
【図１】図１は本発明の実施方法を示した説明図である。（実施例１）
【図２】図２は本発明の使用例を示した説明図である。（実施例１）
【図３】図３は本発明の使用例を示した説明図である。（実施例１）
【図４】図４は本発明の実施方法を示した説明図である。（実施例２）
【図５】図５は本発明の使用例を示した説明図である。（実施例２）
【図６】図６は本発明の実施方法を示した説明図である。（実施例３）
【図７】図７は本発明の使用例を示した説明図である。（実施例３）
【図８】図８は市販の中折れ式折畳みマウスを示した説明図である。
【図９】図９は本発明の実施方法を示した説明図である。
【図１０】図１０は本発明の実施方法を示した説明図である。
【図１１】図１１は本発明の実施方法を示した説明図である。
【図１２】図１２は本発明の実施方法を示した説明図である。
【図１３】図１３は本発明の実施方法を示した説明図である。
【符号の説明】
【００１３】
１    小型マウス
２    トレー
３    ヒンジ
４    粘着部
５    クリックボタン
６    スクロールホイール
７    回動機構
８    センサー部
９    ポインティングデバイスユニット
１０  トレー基部
１１   レンズ調節機構
１２  クリップ
１３  吸盤
１４  ベルト
１５  チューブ
１６  筆套
１７  筆記具
１８  ハンドルとなる物品ａ
１９  ハンドルとなる物品ｂ
【発明を実施するための形態】
【実施例１】
【００１４】
図１に示すように小型マウス（１）後端の下端にヒンジ（３）を介して前記トレー（２）を設ける。
前記トレー（２）の内側に粘着部（４）を設ける。
【実施例２】
【００１５】
図４に示すようにトレー基部（１０）に回動機構（７）を介して下面と側面に振り向けることが可能なセンサー部（８）を設ける。
前記センサー部（８）に並べてクリックボタン（５）とスクロールホイール（６）を設ける。
前記トレー基部（１０）後方の下端にヒンジ（３）を介して前記トレー（２）を設ける。
開閉する前記トレー（２）の内側に粘着部（４）を設ける。
【実施例３】
【００１６】
図６に示すように上面にクリックボタン（５）とスクロールホイール（６）を設けたポインティングデバイスユニット（９）の端部に、下方向にレンズ調節機構（１１）を介してセンサー部（８）を設ける。
さらに前記ポインティングデバイスユニット（９）の下面に粘着部（４）を設ける。
【００１７】
また、上記の実施の形態は以下の（い）から（ほ）に示すように変形してもよい。また、これらを組み合わせてもよい。
（い）図６に示すように前記トレー（２）にクリップ（１２）を設ける。
（ろ）前記トレー（２）に吸盤（１３）を設ける。
（は）図７に示すように前記トレー（２）にベルト（１４）を設ける。
（に）図８に示すように前記トレー（２）に弾性体のチューブ（１５）を設ける。
（ほ）図９に示すように前記マウス（１）に筆套（１６）を設ける。
（へ）前記マウス（１）にコード巻き取り装置を設ける。
（と）前記センサー部（８）に昇降機構を設ける。
【産業上の利用可能性】
【００１８】
携帯に便利な小型マウスでありながら、小さすぎることによる不確実な把持を避けることができ、確実な操作が可能になり、自分の手や好みにあった材質や大きさの物品をハンドルとして用いることができる。
【図１】
2010257133.tif 000003
【図２】
2010257133.tif 000004
【図３】
2010257133.tif 000005
【図４】
2010257133.tif 000006
【図５】
2010257133.tif 000007
【図６】
2010257133.tif 000008
【図７】
2010257133.tif 000009
【図８】
2010257133.tif 000010
【図９】
2010257133.tif 000011
【図１０】
2010257133.tif 000012
【図１１】
2010257133.tif 000013
【図１２】
2010257133.tif 000014
【図１３】
2010257133.tif 000015